(57)【要約】【課題】ペットの尿等の液体の飛散を防止するための防壁を自由に作ることができ、更に、防壁を越えて飛散した液体を吸収することのできる吸収性シートを提供する。【解決手段】吸収性シート１は、透液性の表面シート１１と、不透液性の裏面シート１２と、表面シート１１と裏面シート１２との間に介装される吸収体１３と、を備え、水分吸収性及び形状保持性を有する形状保持シート１４が裏面シート１２の吸収体１３の側の面と反対側の面全体を覆うように設けられている。【選択図】図２
2014195412.tif 000002
【特許請求の範囲】
【請求項１】
透液性のシートからなる表面部と、１又は複数のシートからなる裏面部と、前記表面部と前記裏面部との間に介装される吸収体と、を備える吸収性シートであって、
前記裏面部は、形状保持性を有し、前記吸収体の側の面が不透液性であり、前記吸収体と反対側の面が水分吸収性を有する吸収性シート。
【請求項２】
前記裏面部は、前記吸収体側が不透液性の裏面シートにより構成され、前記吸収体と反対側が水分吸収性及び形状保持性を有する形状保持シートにより構成されている請求項１に記載の吸収性シート。
【請求項３】
前記形状保持シートは、紙である請求項２に記載の吸収性シート。
【請求項４】
前記表面部と前記裏面部の前記吸収体より外側に延出した周縁部同士は、接合されてフラップ部を形成し、
前記フラップ部には、前記吸収体との境界線に沿って凹部が設けられている請求項１〜３のいずれか一項に記載の吸収性シート。
【請求項５】
前記吸収体には、長手方向及び幅方向に複数の凹部が設けられている請求項１〜４の何れか一項に記載の吸収性シート。
【請求項６】
前記表面部と前記裏面部の前記吸収体より外側に延出した周縁部同士は、接合されてフラップ部を形成し、
前記フラップ部の前記表面部と前記裏面部との間には、前記吸収体とは別体の第２の吸収体が設けられている請求項１〜３のいずれか一項に記載の吸収性シート。
【請求項７】
前記吸収性シートは、矩形であり、
前記裏面部の前記表面部と反対側の面には、四隅に接着部材が設けられている請求項１〜６の何れか一項に記載の吸収性シート。
【発明の詳細な説明】
【技術分野】
【０００１】
本発明は、吸収性シートに関する。
【背景技術】
【０００２】
従来、犬、猫等のペットが排泄した尿等の液体を吸収するためのペット用の吸収性シートが普及している。ペット用の吸収性シートとしては、透液性の表面シートと、不透液性の裏面シートと、表面シートと裏面シートとの間に介装される吸収体とを備える構成が知られている。
【０００３】
ところで、ペットの排尿時の位置によっては尿が吸収性シートの外へと飛散してしまうことがある。特に、牡犬などは本能的に後ろ足を挙げて排尿する習慣があるため多くの尿が外へ飛散して周辺が汚れるという問題がある。
【０００４】
そこで、例えば、特許文献１には、表面又は裏面の少なくとも一面に形状保持性シートを積層した排泄物吸収シートが記載されている。この排泄物吸収シートは、形状保持性シートである延伸オレフィン系樹脂シートの延伸方向と略直角に折り曲げると折り曲げた形状が保持されるので、排泄物吸収シートの端部から折り曲げた部分までを尿の外部への飛散を防止するための防壁とすることができる。
【先行技術文献】
【特許文献】
【０００５】
【特許文献１】特願２００４−２７５０３８公報
【発明の概要】
【発明が解決しようとする課題】
【０００６】
しかしながら、特許文献１に記載の技術では、防壁を作ることのできる方向や場所が決まってしまうという問題がある。また、防壁を越えて飛散した尿は吸収できない。
【０００７】
本発明の課題は、ペットの尿等の液体の飛散を防止するための防壁を自由に作ることができ、更に、防壁を越えて飛散した液体を吸収することのできる吸収性シートを提供することである。
【課題を解決するための手段】
【０００８】
上記課題を解決するために、請求項１に記載の発明は、
透液性のシートからなる表面部と、１又は複数のシートからなる裏面部と、前記表面部と前記裏面部との間に介装される吸収体と、を備える吸収性シートであって、
前記裏面部は、形状保持性を有し、前記吸収体の側の面が不透液性であり、前記吸収体と反対側の面が水分吸収性を有する。
【０００９】
請求項２に記載の発明は、請求項１に記載の発明において、
前記裏面部は、前記吸収体側が不透液性の裏面シートにより構成され、前記吸収体と反対側が水分吸収性及び形状保持性を有する形状保持シートにより構成されている。
【００１０】
請求項３に記載の発明は、請求項２に記載の発明において、
前記形状保持シートは、紙である。
【００１１】
請求項４に記載の発明は、請求項１〜３のいずれか一項に記載の発明において、
前記表面部と前記裏面部の前記吸収体より外側に延出した周縁部同士は、接合されてフラップ部を形成し、
前記フラップ部には、前記吸収体との境界線に沿って凹部が設けられている。
【００１２】
請求項５に記載の発明は、請求項１〜４のいずれか一項に記載の発明において、
前記吸収体には、長手方向及び幅方向に複数の凹部が設けられている。
【００１３】
請求項６に記載の発明は、請求項１〜３のいずれか一項に記載の発明において、
前記表面部と前記裏面部の前記吸収体より外側に延出した周縁部同士は、接合されてフラップ部を形成し、
前記フラップ部の前記表面部と前記裏面部との間には、前記吸収体とは別体の第２の吸収体が設けられている。
【００１４】
請求項７に記載の発明は、請求項１〜６のいずれか一項に記載の発明において、
前記吸収性シートは、矩形であり、
前記裏面部の前記表面部と反対側の面には、四隅に接着部材が設けられている。
【発明の効果】
【００１５】
本発明によれば、ペットの尿等の液体の飛散を防止するための防壁を自由に作ることができるとともに、防壁を越えて飛散した液体を吸収することができ、更に、吸収性シートの周辺が液体により汚れた場合のふきとり用品として使用できる吸収性シートを提供することが可能となる。
【図面の簡単な説明】
【００１６】
【図１】本発明の実施形態に係る吸収性シートの一例を示す平面図である。
【図２】図１のII-II線における断面図である。
【図３】図１の吸収性シートを折り曲げて防壁を作成した様子を示す図である。
【図４】変形例１に係る吸収性シートの一例を示す平面図である。
【図５】変形例２に係る吸収性シートの一例を示す平面図である。
【図６】変形例３に係る吸収性シートの一例を示す断面図である。
【図７】変形例４に係る吸収性シートを説明するための図である。
【発明を実施するための形態】
【００１７】
以下、本発明の実施形態を、図面を用いて詳細に説明する。ただし、発明の範囲は、図示例に限定されない。
なお、以下の説明では、吸収性シートの一方向（幅方向）をＸ方向、Ｘ方向と直交する方向（長手方向）をＹ方向とする。また、吸収性シートの厚さ方向をＺ方向とする。
【００１８】
吸収性シート１は、例えば、図１に示すように、平面視略長方形の形状となっており、例えば、図示しないペット用トイレの床面に敷いて使用され、表面からペットにより排泄された尿等の排泄物の水分をシート内に吸収するペット用の吸収性シートである。
【００１９】
吸収性シート１は、例えば、図２に示すように、尿などの液体を速やかに透過させる透液性の表面シート１１と、表面シート１１の裏面側に配置される裏面シート１２と、これら表面シート１１と裏面シート１２との間に介装される吸収体１３と、裏面シート１２の吸収体１３の側の面とは反対側の面（即ち、裏面）に配置される形状保持シート１４と、を備えて構成されている。表面シート１１は表面部を構成し、裏面シート１２及び形状保持シート１４は裏面部を構成している。
【００２０】
表面シート１１は、吸収体１３の天面を覆い、更にその周縁部１１ａが吸収体１３より外側に延出する大きさに設けられている。表面シート１１は、透液性であって、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
表面シート１１に多数の透孔を形成した場合には、尿等の液体がより速やかに吸収されるようになり、ドライタッチ性に優れたものとなる。
【００２１】
裏面シート１２は、吸収体１３の底面（裏側の面）、及び表面シート１１の吸収体１３より外側に延出した周縁部１１ａの裏側の面全体を覆う大きさに設けられている。そして、この裏面シート１２の吸収体１３より外側に延出している周縁部１２ａと、表面シート１１の吸収体１３より外側に延出している周縁部１１ａとがホットメルト型接着剤、ヒートシール、超音波シール等により接着されている。かかる周縁部１１ａ及び周縁部１２ａの接着は、周縁に亘って連続的であっても良く、間欠的であっても良い。
裏面シート１２は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。また、このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも裏面シートとして用いることができる。
【００２２】
吸収体１３は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer 以下「ＳＡＰ」と略す。）を組み合わせて吸収体を構成することもできる。
ＳＡＰとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、あるいはイソブチレンとマレイン酸との共重合体等が好適に用いられる。
さらに、消臭機能を持たせるため、消臭剤を吸収体１３に入れてもよい。消臭剤としては、例えば、活性炭や天然鉱物(例えば、ベントナイト、カオリナイト、カネマイト等)、合成無機物（ゼオライト、アモルファスシリカ等）を用いることができる。
【００２３】
形状保持シート１４は、裏面シート１２の吸収体１３側の面と反対側の面全体を覆うように設けられている。
形状保持シート１４は、水分吸収性及び形状保持性を有するシート状の部材である。例えば、形状保持シート１４は、折り曲げたときに折り曲げた状態が維持できる程度の剛性を有する紙により構成される。少なくとも半紙以上の剛性があることが好ましい。例えば、クレープ紙を積層したものを形状保持シート１４として用いることができる。また、紙に不織布を積層したものを用いてもよい。紙に不織布を積層することにより水分吸収性を向上させることができる。
なお、本実施形態においては、形状保持シート１４を裏面シート１２とは別体として設けることとしているが、形状保持シート１４の吸収体１３側の面に防水処理（シリコン塗布、オレフィン樹脂ラミネート加工等）を施すことにより、形状保持シート１４の吸収体１３側の面を裏面シート１２として用いることができる。
【００２４】
形状保持シート１４の、吸収体１３より外側に延出している周縁部１４ａ（周縁部１２ａに対向する部分）は、周縁部１２ａとホットメルト型接着剤等により接着されている。かかる接着は、周縁に亘って連続的であっても良く、間欠的であっても良い。周縁部１１ａ、１２ａ、１４ａは一体的に接合されてフラップ部１５を形成している。
【００２５】
次に、作用について説明する。
上述のように、吸収性シート１においては、裏面全面が形状保持シート１４に覆われている。従って、フラップ部１５はもちろんのこと、吸収性シート１のどの場所でも折り曲げて尿等の飛散を防止するための防壁を作ることができる。また、吸収性シート１の長手方向だけでなく、幅方向や斜め方向等、あらゆる方向に防壁を作ることが可能である。
例えば、図３（ａ）に示すようにフラップ部１５を折り曲げて起立させることにより防壁を作ることもできるし、図３（ｂ）に示すように山折りと谷折りを組み合わせて吸収体１３内の所望の位置を起立させて所望する高さの防壁を作ることもできる。
さらに、形状保持シート１４は、吸収性があるため、万一、尿等が防壁を越えて飛散しても吸収性シート１の裏面を構成する形状保持シート１４で吸収することができ、衛生的である。また、ペットがシート上で排尿した後、足が濡れてそのまま床を歩いてしまい、その少量の尿で床が汚れた場合、別途、ふきとり用品を準備することなく、使用したシートの裏面でそのままふき取れる。
【００２６】
以下に、上記実施形態の吸収性シート１の変形例について説明する。なお、各変形例において、吸収性シート１の各部と同一の構成については同一の符号を付して説明する。また、吸収性シート１と異なる部分のみを説明する。
＜変形例１＞
図４は、上記実施形態の変形例１の吸収性シート１Ａを示す図である。破線はエンボス加工が施されている部分を示す。
図４に示すように、吸収性シート１Ａのフラップ部１５には、吸収体１３との境界線に沿ってエンボス加工（型押し）が施されることにより、吸収体１３との境界線に沿って凹部が形成されている。これにより、フラップ部１５をより折り易く、起立しやすくすることができ、防壁の作成がより容易となる。
＜変形例２＞
図５は、上記実施形態の変形例２の吸収性シート１Ｂを示す図である。破線はエンボス加工が施されている部分を示す。
図５に示すように、吸収性シート１Ｂの吸収体１３には、長手方向及び幅方向にエンボス加工が施され、吸収体１３の長手方向及び幅方向に複数の凹部が形成されている。これにより、吸収体１３内をより折り易く、起立しやすくすることができ、防壁の作成がより容易となる。
なお、図４に示すフラップ部１５の凹部と図５に示す吸収体１３の凹部の双方を有する構成としてもよい。また、吸収体１３に形成される凹部の本数は、特に限定されない。
【００２７】
＜変形例３＞
図６は、上記実施形態の変形例３の吸収性シート１Ｃの断面（図１に示すII−II線と同じ位置の断面）を示す図である。
図６に示すように、吸収性シート１Ｃのフラップ部１５の表面シート１１と裏面シート１２との間には、吸収体１３とは別体の第２の吸収体１３ａ、１３ａが設けられている。
これにより、フラップ部１５を折り曲げて防壁を作った場合、尿等の飛散量が多くても十分に第２の吸収体１３ａで吸収することができ、フラップ部１５からの漏れを防ぐことができる。
【００２８】
＜変形例４＞
図７（ａ）は、上記実施形態の変形例４の吸収性シート１Ｄの裏面を示す図である。
図７（ａ）に示すように、吸収性シート１Ｄの裏面の四隅には、両面テープ１６が設けられている。
これにより、図７（ｂ）、（ｃ）に示すように、フラップ部１５を起立させたときに四隅の隣り合う辺同士を貼り合わせて止めることができ、防壁をより安定させることが可能となる。
なお、変形例１、２の吸収性シート１Ａ〜１Ｃの四隅に両面テープ１６を設けることとしてもよい。また、両面テープ１６の代わりにホットメルト型接着剤等の接着部材を用いることとしてもよい。
【００２９】
以上説明したように、吸収性シート１は、透液性の表面シート１１からなる表面部と、１又は複数のシートからなる裏面部と、表面部と裏面部との間に介装される吸収体１３と、を備え、裏面部は、形状保持性を有し、吸収体１３の側の面が不透液性であり、吸収体１３と反対側の面が水分吸収性を有する。従って、吸収性シート１には、ペットの尿等の液体の飛散を防止するための防壁を自由に作ることができるとともに、防壁を越えて飛散した液体を吸収することが可能となる。更に、吸収性シート１の周辺が液体により汚れた場合に、別途、ふきとり用品を準備することなく、使用した吸収性シート１の裏面でそのままふき取ることも可能となる。
【００３０】
裏面部は、吸収体１３側を不透液性の裏面シート１２とし、吸収体１３と反対側を水分吸収性及び形状保持性を有する形状保持シート１４として構成することができる。また、形状保持シート１４の吸収体１３側の面に防水処理を施したものを裏面部としてもよい。形状保持シート１４は、紙により構成することができる。
【００３１】
また、表面部と裏面部の吸収体１３より外側に延出した周縁部同士が接合されてなるフラップ部１５に、吸収体１３との境界線に沿って凹部を設けることで、フラップ部１５をより折り易く、起立しやすくすることができ、防壁の作成がより容易となる。
【００３２】
また、吸収体１３の長手方向及び幅方向に複数の凹部を設けることで、吸収体１３内をより折り易く、起立しやすくすることができ、防壁の作成がより容易となる。
【００３３】
また、フラップ部１５の表面部と裏面部との間に、吸収体１３とは別体の第２の吸収体を設けることで、フラップ部１５を折り曲げて防壁を作った場合、尿等の飛散量が多くても十分に第２の吸収体１３ａで吸収することができ、フラップ部１５からの漏れを防ぐことができる。
【００３４】
また、裏面部の表面部と反対側の面の四隅に両面テープ等の接着部材を設けることで、フラップ部１５を起立させたときに四隅の隣り合う辺同士を貼り合わせて止めることができ、防壁をより安定させることが可能となる。
【００３５】
なお、本発明は、上記した実施形態のものに限るものではなく、その要旨を逸脱しない範囲で適宜変更可能である。
例えば、上記実施形態及び変形例１〜４においては、吸収性シート１をペット用として説明したが、これに限定されず、他の用途に用いるものであってもよい。
【００３６】
その他、吸収性シート１の細部構成に関しても、本発明の趣旨を逸脱することのない範囲で適宜変更可能である。
【符号の説明】
【００３７】
１、１Ａ、１Ｂ、１Ｃ、１Ｄ  吸収性シート
１１  表面シート
１１ａ  周縁部
１２  裏面シート
１２ａ  周縁部
１３  吸収体
１３ａ  第２の吸収体
１４  形状保持シート
１４ａ  周縁部
１５  フラップ部
１６  両面テープ
【図１】
2014195412.tif 000003
【図２】
2014195412.tif 000004
【図３】
2014195412.tif 000005
【図４】
2014195412.tif 000006
【図５】
2014195412.tif 000007
【図６】
2014195412.tif 000008
【図７】
2014195412.tif 000009